(57)【要約】【課題】テープを貼付対象物に貼付した後、テープを切断する作業を確実かつ簡便に行い得るテープディスペンサを提供する。【解決手段】貼付対象物にテープを貼付する際に用いられるテープディスペンサであって、テープが巻き回されたリールを保持する本体と、リールから引き出されたテープを切断するためのカッター刃と、リールから引き出されたテープをカッター刃に当てて切断するときに、テープにおける貼付対象物に貼付された貼付部位とリールとの間に介在する中間部位を挟持した状態でカッター刃に対して相対的に変位する挟持機構とを具備するテープディスペンサを構成した。【選択図】図１１
2015209307.tif 000002
【特許請求の範囲】
【請求項１】
貼付対象物にテープを貼付する際に用いられるテープディスペンサであって、
テープが巻き回されたリールを保持する本体と、
リールから引き出されたテープを切断するためのカッター刃と、
リールから引き出されたテープをカッター刃に当てて切断するときに、テープにおける貼付対象物に貼付された貼付部位とリールとの間に介在する中間部位を挟持した状態でカッター刃に対して相対的に変位する挟持機構と
を具備するテープディスペンサ。
【請求項２】
前記挟持機構が、テープを表裏両面側から挟む一対の挟持部材を有しており、
一方の挟持部材が他方の挟持部材に対して接近する過程で、当該挟持部材と連動して変位する押圧部材がテープの貼付部位とリールとの間を押圧することで前記カッター刃に当たるテープに張力を付与する請求項１記載のテープディスペンサ。
【請求項３】
前記本体が、使用者が把持するケースと、ケースに対して相対的に変位可能でありその先端部がケースから突出する駆動体とを有しており、
テープの貼付部位を貼付対象物に貼付した後に使用者がケースを移動させる操作に起因して貼付対象物側から駆動体の先端部に加わる、駆動体をケース内に押し込もうとする操作力を、テープの中間部位を挟持した前記挟持機構を前記カッター刃に対して相対的に変位させる力に変換する操作力変換機構を具備する請求項１または２記載のテープディスペンサ。
【請求項４】
前記駆動体が、前記カッター刃を支持する主フレームと、前記挟持機構を支持する副フレームとを有しており、
前記操作力によって主フレームが前記ケースに対して変位する変位量よりも副フレームがケースに対して変位する変位量の方が大きくなるように、主フレーム、副フレーム及びケースを連結するリンク部材を設けることで、前記操作力変換機構を構成している請求項３記載のテープディスペンサ。
【請求項５】
前記カッター刃を前記駆動体の先端部に支持させており、そのカッター刃が駆動体の先端部の外縁よりも没入した位置にある請求項３または４記載のテープディスペンサ。
【請求項６】
リールから引き出されたテープを貼付対象物に圧着させるために前記本体の先端部の外縁から突出するとともに、テープをカッター刃に当てて切断するときには当該外縁よりも没入するように退避する圧着部材を具備する請求項１、２、３、４または５記載のテープディスペンサ。
【請求項７】
リールから引き出されたテープを貼付対象物に圧着させるために前記本体の先端部の外縁から突出するとともに、テープをカッター刃に当てて切断するときには当該外縁よりも没入するように退避する圧着部材を、前記副フレームに支持させている請求項４記載のテープディスペンサ。
【発明の詳細な説明】
【技術分野】
【０００１】
本発明は、貼付対象物にテープを貼付する際に用いられるテープディスペンサに関する。
【背景技術】
【０００２】
紙の書類や書籍のページ等の貼付対象物にテープを貼付する目的で使用されるテープディスペンサが周知である（例えば、下記特許文献を参照）。テープディスペンサは、テープが巻き回されたリールを保持し、リールから繰り出したテープを貼付対象物に圧着させて貼付した後、そのテープの貼付部位とリールとの間をカッター刃を以て断ち切る器具である。
【０００３】
従来のテープディスペンサでは、テープを切断しようとする際に、カッター刃の刃先に当たるテープを緊張状態に保つ機構は実装されていない。単にカッター刃がテープに向かって変位する、または使用者がテープをカッター刃に当てるように操作するのみであって、いわば、テープがカッター刃によって裁断されるのを成り行きに任せている。
【０００４】
このため、リールから引き出されたテープが弛んでカッター刃に上手く当たらなかったり、カッター刃がテープを裁断する最中にテープが歪んでしまい綺麗に切れなかったりすることが起こり得る。とりわけ、テープが切断しにくい素材、例えばセルロース（紙）繊維等を含有している場合には、テープが刃先にしっかりと当たらないことでテープの切断に多大な手間がかかり、使い勝手が非常に悪くなる。
【先行技術文献】
【特許文献】
【０００５】
【特許文献１】特許第４４５４４８６号公報
【発明の概要】
【発明が解決しようとする課題】
【０００６】
本発明は、テープを貼付対象物に貼付した後、テープを切断する作業を確実かつ簡便に行い得るテープディスペンサを提供しようとするものである。
【課題を解決するための手段】
【０００７】
上述した課題を解決するべく、本発明では、貼付対象物にテープを貼付する際に用いられるテープディスペンサであって、テープが巻き回されたリールを保持する本体と、リールから引き出されたテープを切断するためのカッター刃と、リールから引き出されたテープをカッター刃に当てて切断するときに、テープにおける貼付対象物に貼付された貼付部位とリールとの間に介在する中間部位を挟持した状態でカッター刃に対して相対的に変位する挟持機構とを具備するテープディスペンサを構成した。
【０００８】
加えて、前記挟持機構が、テープを表裏両面側から挟む一対の挟持部材を有しており、一方の挟持部材が他方の挟持部材に対して接近する過程で、当該挟持部材と連動して変位する押圧部材がテープの貼付部位とリールとの間を押圧することで前記カッター刃に当たるテープに張力を付与するものとすることが好適である。
【０００９】
前記本体が、使用者が把持するケースと、ケースに対して相対的に変位可能でありその先端部がケースから突出する駆動体とを有しており、テープの貼付部位を貼付対象物に貼付した後に使用者がケースを移動させる操作に起因して貼付対象物側から駆動体の先端部に加わる、駆動体をケース内に押し込もうとする操作力を、テープの中間部位を挟持した前記挟持機構を前記カッター刃に対して相対的に変位させる力に変換する操作力変換機構を具備するものとすれば、ケースの操作（例えば、ケースをを貼付対象物が載置された机の天板等に押し付けるような操作）を通じてテープを切断することが可能となり、簡便である。
【００１０】
具体的には、前記駆動体が、前記カッター刃を支持する主フレームと、前記挟持機構を支持する副フレームとを有しており、前記操作力によって主フレームが前記ケースに対して変位する変位量よりも副フレームがケースに対して変位する変位量の方が大きくなるように、主フレーム、副フレーム及びケースを連結するリンク部材を設けることで、前記操作力変換機構を構成することが一例である。
【００１１】
前記カッター刃を前記駆動体の先端部に支持させており、そのカッター刃が駆動体の先端部の外縁よりも没入した位置にあるならば、カッター刃の刃先を紙等の貼付対象物に直接接触させずに済み、カッター刃による貼付対象物の損傷を回避できる。また、カッター刃が駆動体の先端部の外縁によって遮蔽されることから、カッター刃が使用者の手指に触れる可能性も低減し、安全性がより一層高まる。
【００１２】
リールから引き出されたテープを貼付対象物に圧着させるために前記本体の先端部の外縁から突出するとともに、テープをカッター刃に当てて切断するときには当該外縁よりも没入するように退避する圧着部材を具備するものとすれば、圧着ローラの退避を通じてテープをカッター刃の刃先にしっかりと強く当てることが可能となり、確実にテープを切断できるようになる。
【００１３】
リールから引き出されたテープを貼付対象物に圧着させるために前記本体の先端部の外縁から突出するとともに、テープをカッター刃に当てて切断するときには当該外縁よりも没入するように退避する圧着部材は、前記副フレームに支持させることが考えられる。
【発明の効果】
【００１４】
本発明によれば、テープを切断する作業を確実かつ簡便に行い得るテープディスペンサが実現される。
【図面の簡単な説明】
【００１５】
【図１】本発明の一実施形態のテープディスペンサを示す斜視図。
【図２】同実施形態のテープディスペンサの先端部に形成された貫通窓を示す要部拡大図。
【図３】同実施形態のテープディスペンサの底面図。
【図４】同実施形態のテープディスペンサの分解斜視図。
【図５】同実施形態のテープディスペンサの分解斜視図。
【図６】同実施形態のテープディスペンサの駆動体を示す斜視図。
【図７】同実施形態のテープディスペンサの駆動体からカバー及びリールを取り外した状態を示す斜視図。
【図８】同実施形態のテープディスペンサをＸ軸方向から見た断面図。
【図９】同実施形態のテープディスペンサをＹ軸方向から見た断面図。
【図１０】同実施形態のテープディスペンサをＸ軸方向から見た断面図。
【図１１】同実施形態のテープディスペンサをＹ軸方向から見た断面図。
【発明を実施するための形態】
【００１６】
本発明の一実施形態を、図面を参照して説明する。図１ないし図１１に示す本実施形態のテープディスペンサは、本体１が保持しているリール４１からテープ４２を繰り出し、その繰り出されたテープ４２を貼付対象物に貼付した後、テープ４２の（貼付対象物に貼付された）貼付部分の終端近傍の箇所をカッター刃３１４によって切断するものである。
【００１７】
テープ４２は、片面即ち裏面に粘着剤または接着剤が予め塗布されており、その粘着剤または接着剤により貼付対象物である紙の書類や書籍のページ等に貼付される。テープ４２の色彩は、単色（特に、蛍光色）としてもよいし、模様や図柄等を付したものとしてもよい。テープ４２の素材は、セロハンテープ、紙テープ、マスキングテープ、樹脂テープ等、種々考えられるが、本実施形態では、セルロース繊維（特に、和紙）が用いられたテープ４２を想定している。テープ４２を紙の貼付対象物に貼付したとき、貼付対象物に記載または印刷されている文字等が、テープ４２に被覆されながらも当該テープ４２を介して透けて見える。故に、本実施形態のテープディスペンサは、ちょうどマーカペンや蛍光ペンのように使用することができる。テープ４２（に塗布する粘着剤または接着剤）を、必要に応じて貼付対象物から剥離可能なものとすることも好ましい。
【００１８】
以下、説明の簡明化のため、テープ４２が巻き回されたリール４１の回転軸と平行な方向をＸ軸方向、本体１の長手方向（後述する主フレーム３１及び副フレーム３２の変位方向）をＺ軸方向、並びに、これらＸ軸及びＺ軸の双方と直交する方向をＹ軸方向と定義する。
【００１９】
本テープディスペンサの本体１は、使用者が把持するケース２と、ケース２に対して相対的に変位可能な駆動体３とを備える。ケース２は、その内部空間に駆動体３及びリール４１を収容する、Ｚ軸方向に沿って伸長した容器である。図１に示すように、ケース２は透明であり、外側から見て駆動体３やリール４１が透けて見える。ケース２は半割構造をなし、その一方である第一ケース部材２１と他方である第二ケース部材２２とがＸ軸方向に沿って対向している。テープ４２の補充即ちリール４１の交換を行う際には、リール４１に臨む第二ケース部材２２を第一ケース部材２１から脱離させることで、ケース２の内部空間を開放する。
【００２０】
駆動体３は、リール４１及びテープ４２を支持する支持体でもある。駆動体３は、ケース２に対しＺ軸方向に沿ってスライドする主フレーム３１と、主フレーム３１の内にあって主フレーム３１に対しスライドする副フレーム３２とを要素とし、その双方がケース２に対しＺ軸方向に沿って相対的に変位することが可能である。
【００２１】
主フレーム３１は、Ｘ軸方向に沿って第一ケース部材２１側にある主フレームベース３１１と、Ｘ軸方向に沿って第二ケース部材２２側にあるカバー３１２と、Ｚ軸方向に沿った先端（または、下端）側にあるカッターハウジング３１３とを備える。
【００２２】
主フレームベース３１１は、Ｘ軸方向を向く頂壁３１１ａと、Ｙ軸方向を向くとともに互いに平行に並立し各々が頂壁３１１ａの両側縁にそれぞれ連接した一対の側壁３１１ｂとを有している。図４に示すように、頂壁３１１ａの外面には、Ｘ軸方向に突出しかつＺ軸方向に沿って延伸した凸条３１１ｃを設けている。この凸条３１１ｃは、図５に示すように、頂壁３１１ａの外面が対向する第一ケース部材２１の内面に形成した、Ｚ軸方向に沿って延伸するガイド２１１内に挿入される。また、各側壁３１１ｂの外面に、Ｚ軸方向に延伸する凹溝３１１ｄを形成してある。この凹溝３１１ｄには、側壁３１１ｂの外面が対向する第一ケース部材２１の内面に設けた、Ｙ軸方向に突出する突片２１２が挿入される。主フレーム３１がケース２に対してスライドするとき、頂壁３１１ａの凸条３１１ｃが第一ケース部材２１のガイド２１１に沿って摺動し、並びに、第一ケース部材２１の突片２１２が側壁３１１ｂの凹溝３１１ｄに沿って摺動する。
【００２３】
主フレームベース３１１の一方の側壁３１１ｂには、凹溝３１１ｄ以外に、当該側壁３１１ｂをＹ軸方向に沿って貫通した長孔３１１ｅを穿っている。長孔３１１ｅは、当該側壁３１１ｂをＹ軸方向に沿って見たときに、略Ｌ字型をなしている。即ち、長孔３１１ｅには、Ｚ軸方向に沿って延伸する部分３１１ｆと、Ｘ軸方向に沿って拡張する部分３１１ｇと、両部分３１１ｆ、３１１ｇをなだらかに接続する湾曲した部分３１１ｈとが含まれる。そして、Ｚ軸方向に沿って延伸する部分３１１ｆの先端側の端部と、Ｘ軸方向に沿って拡張する部分３１１ｇの第一ケース部材２１側の端部とが、湾曲部分３１１ｈを介して連通している。この長孔３１１ｅは、後述する挟持機構の動作を惹起するために機能する。
【００２４】
主フレームベース３１１のＺ軸方向に沿った中間部位において、頂壁３１１ａの内面には、Ｘ軸方向に突出するストッパ３１１ｉを設けてある。このストッパ３１１ｉは、主フレーム３１に対する副フレーム３２のＺ軸方向に沿ったスライド移動の範囲を規制するために存在する。また、ストッパ３１１ｉの下向面、即ちＺ軸方向に沿った先端側を向く面に、スプリングリテーナ３１１ｊを設けている。
【００２５】
主フレームベース３１１のＺ軸方向に沿った先端側には、カッターハウジング３１３を取り付ける。翻って、主フレームベース３１１の反先端（または、上端）側、頂壁３１１ａの内面には、Ｘ軸方向に突出する支軸３１１ｋを設ける。支軸３１１ｋは、後述するリンク部材３４を回動可能に支持し、リンク部材３４の回転中心となる。
【００２６】
カバー３１２は、主フレームベース３１１に組み付けられることで、主フレームベース３１１の頂壁３１１ａ及び側壁３１１ｂに包囲された内部を部分的に遮蔽するとともに、主フレーム３１の内部に収容される副フレーム３２の主フレーム３１からの離脱を阻止し、かつ支軸３１１ｋに支持させたリンク部材３４の支軸３１１ｋからの抜出を阻止する。
【００２７】
本テープディスペンサにあっては、カバー３１２が、テープ４２を多重に巻き回してなるリール４１を直接に支持する。具体的には、Ｘ軸方向を向き第二ケース部材２２に対向するカバー３１２の外面に、Ｘ軸方向に突出するボス３１２ａ及びカラー軸３１２ｂをそれぞれ設けている。ボス３１２ａは、リール４１を回動可能に支持して、リール４１の回転中心となる。
【００２８】
カラー軸３１２ｂは、リール４１から繰り出されるテープ４２を案内する部材であるカラー３１２ｃを支持する。本実施形態では、リール４１から引き出したテープ４２を、その表裏面がともにＸ軸方向を向くように、テープ４２の引出方向即ちリール４１の径方向に沿った軸回りに９０°捻った上で本体１の先端部まで導く、いわゆる「横引き」方式を採用している。カラー３１２ｃは、リール４１から引き出されたテープ４２における、９０°捻られる箇所よりもリール４１寄りに位置してテープ４２の表面に接触する。このカラー３１２ｃにより、テープ４２を捻った状態を保ちながら、リール４１からテープ４２が円滑に引き出されるようにしている。
【００２９】
カッターハウジング３１３は、駆動体３の先端部ひいては本体１の先端部の外形を構成する部材である。カッターハウジング３１３は、ケース２と同様に透明である。カッターハウジング３１３は、Ｘ軸方向を向く頂壁３１３ａと、Ｙ軸方向を向くとともに互いに平行に並立し各々が頂壁３１３ａの両側縁にそれぞれ連接した一対の側壁３１３ｂとを有している。主フレームベース３１１の先端側にカッターハウジング３１３を取り付けたとき、カッターハウジング３１３の頂壁３１３ａと主フレームベース３１１の頂壁３１１ａとが連続し、並びに、カッターハウジング３１３の側壁３１３ｂと主フレームベース３１１の側壁３１１ｂとが略面一となる。そして、カッターハウジング３１３の頂壁３１３ａ及び側壁３１３ｂに包囲された内部が、主フレームベース３１１の頂壁３１１ａ及び側壁３１１ｂに包囲された内部に連通する。
【００３０】
図２に示すように、カッターハウジング３１３の頂壁３１３ａには、テープ４２の貼付時及び切断時にテープを視認することのできる貫通窓３１３ｃを形成してある。
【００３１】
カッターハウジング３１３の外縁即ち駆動体３（及び、本体１）の外縁は、カッターハウジング３１３の頂壁３１３ａの下端縁と、これに連なる一対の側壁３１３ｂの下端縁及び（第二ケース部材２２側の）後端縁とによって形作られる。Ｙ軸方向から見て、側壁３１３ｂの下端縁は、頂壁３１３ａの下端縁に連なる部位では頂壁３１３ａの下端縁と同一平面上にあるようなＸ軸に平行な直線状をなし、その直線状の部位の終端からは上方に立ち上がるような部分円弧状をなす。さらに、その部分円弧状の部位の終端に連なる側壁３１３ｂの後端縁は、第二ケース部材２２に向かって延びるようなＺ軸に対してやや傾いた直線状をなす。
【００３２】
テープ４２を切断するためのカッター刃３１４は、カッターハウジング３１３の内部に固定する。カッター刃３１４は、概ねＺ軸方向に沿って基端から先端に向かって伸びる薄板の先端に刃先を付けた金属製のものである。図８ないし図１１に示すように、カッター刃３１４は、刃先を含めて、駆動体３の先端部であるカッターハウジング３１３の外縁よりも没入した位置にある。即ち、刃先がカッターハウジング３１３から飛び出していない。
【００３３】
副フレーム３２は、Ｚ軸方向に沿って伸長した副フレームベース３２１と、副フレームベース３２１に支持させた一対の挟持部材３２２、３２３とを備える。
【００３４】
副フレームベース３２１は、主フレームベース３１１の内部に収容され、主フレームベース３１１及びカバー３１２に囲繞された状態で配置される。副フレーム３２が主フレーム３１に対してスライドするとき、副フレームベース３２１のＹ軸方向を向く外面が主フレームベース３１１の各側壁３１１ｂの内面に対して摺動し、Ｘ軸方向を向く外面が主フレームベース３１１の側壁３１１ｂの内面及びカバー３１２の内面に対して摺動する。
【００３５】
副フレームベース３２１のＺ軸方向に沿った中間部位には、当該副フレームベース３２１をＸ軸方向に貫通し、かつＺ軸方向に沿って拡張した開口３２１ａを形成している。副フレームベース３２１を主フレームベース３１１の内部に収容する際、この開口３２１ａ内に主フレームベース３１１のストッパ３１１ｉ及びスプリングリテーナ３１１ｊを差し入れる。これに加えて、開口３２１ａ内には、弾性付勢部材である圧縮コイルスプリング３３を配置する。コイルスプリング３３は、Ｚ軸方向に沿って伸縮することを通じ、主フレーム３１、副フレーム３２及びリンク部材３４を原位置（テープ４２を貼付するときの位置）に復帰させる方向に付勢する弾性付勢力を発揮する。コイルスプリング３３のＺ軸方向に沿った先端側の端部は、開口３２１ａのＺ軸方向に沿った先端側の（反先端側を向いた）端面に当接させる。同コイルスプリング３３の反先端側の端部は、主フレームベース３１１のストッパ３１１ｉに支持させたスプリングリテーナ３１１ｊに組み付ける。換言すれば、コイルスプリング３３内にスプリングリテーナ３１１ｊの軸部分を挿入する。
【００３６】
副フレームベース３２１のＺ軸方向に沿った先端側には、Ｙ軸方向を向くとともに互いに平行に並立する一対の支持壁３２１ｂを設けている。これら支持壁３２１ｂは、カッターハウジング３１３の頂壁３１３ａ及び側壁３１３ｂに包囲された内部に進入する。副フレーム３２が主フレーム３１に対してスライドするとき、各支持壁３２１ｂの外面が、これに近接するカッターハウジング３１３の各側壁３１３ｂの内面に対して摺動する。支持壁３２１ｂ（及び、副フレーム３２）の先端部には、Ｙ軸方向に伸長するローラ軸３２５を介してローラ３２４を支持させる。ローラ３２４は、テープ４２を貼付対象物に圧着するための圧着部材となる。ローラ３２４は、ローラ軸３２５を中心として回動可能とすることが好ましい。ローラ３２４は、一対の支持壁３２１ｂの間、ひいてはカッターハウジング３１３の一対の側壁３１３ｂの間に所在する。リール４１から引き出されたテープ４２は、カラー３１２ｃの近傍で９０°捻られた後、このローラ３２４に巻き掛けられた上で、カッターハウジング３１３の頂壁３１３ａの下端縁まで導かれる。ローラ３２４の外周面は、テープ４２の表面と接する。ローラ３２４は、例えばシリコン等を用いて作製する。
【００３７】
一対の挟持部材３２２、３２３は、テープ４２における貼付部位とリール４１との間に介在する中間部位を挟持する挟持機構を構成する。これら挟持部材３２２、３２３は、副フレームベース３２１にとともに、ケース２及び主フレーム３１に対しＺ軸方向に沿ってスライドする。その上で、Ｘ軸方向に沿って相互に接近／離間するように動作して、テープ４２を表裏面両側から挟持する。
【００３８】
一対の挟持部材３２２、３２３のうちの可動の挟持部材３２２は、副フレームベース３２１が主フレーム３１に対しＺ軸方向に沿って相対的に変位するのに伴い、副フレームベース３２１に対してＸ軸方向に沿って相対的に変位する。詳述すると、可動の挟持部材３２２は、Ｘ軸方向を向いた基板部３２２ａと、この基板部３２２ａの一方の側縁からＸ軸方向に沿って延出した側板部３２２ｂと、側板部３２２ｂの外面からＹ軸方向に沿って突出した突起３２２ｃと、基板部３２２ａから駆動部（及び、本体１）の先端部に向かうように延出した押さえ部３２２ｄとを有する。
【００３９】
可動の挟持部材３２２の側板部３２２ｂは、副フレームベース３２１のＹ軸方向を向いた一方の外側面に形成したガイド３２１ｃに係合し、このガイド３２１ｃに沿ってＸ軸方向にスライドする。また、可動の挟持部材３２２を副フレームベース３２１とともに主フレームベース３１１の内部に収容した状態では、その側板部３２２ｂの外面が主フレームベース３１１の一方の側壁３１１ｂの内面に当接または近接するとともに、その突起３２２ｃが当該側壁３１１ｂに穿たれた長孔３１１ｅ内に挿入される。つまり、可動の挟持部材３２２の変位の軌跡が、長孔３１１ｅの周縁によって制御される。副フレームベース３２１が主フレーム３１に対し、先端側から反先端側に向かう方向に変位するためには、可動の挟持部材３２２の突起３２２ｃが、略Ｌ字型をなす長孔３１１ｅにおけるＸ軸方向に沿って拡張する部分３１１ｇから、Ｚ軸方向に沿って延伸する部分３１１ｆへと遷移しなければならない。その過程で、可動の挟持部材３２２が、第二ケース部材２２側から第一ケース部材２１側に向かって、Ｘ軸方向に沿って変位することとなる。
【００４０】
可動の挟持部材３２２に一体成形された押さえ部３２２ｄは、カッター刃３１４によってテープ４２を切断したときに、リール４１から引き出されているテープ４２の端部がばたつくことを抑制する働きをする。押さえ部３２２ｄは、基板部３２２ａから一旦Ｚ軸方向に沿って進出した後、第一ケース部材２１側に向かうようにＺ軸方向に対してやや傾いた方向に伸長する。
【００４１】
他方、固定の挟持部材３２３は、可動の挟持部材３２２と異なり、（副フレームベース３２１が主フレーム３１に対しＺ軸方向に沿って変位したとしても）原則として副フレームベース３２１に対して変位しない。固定の挟持部材３２３の基板部３２３ａは、Ｘ軸方向に沿って可動の挟持部材３２２と対向する。固定の挟持部材３２３の基板部３２３ａは第一ケース部材２１側にあり、可動の挟持部材３２２の基板部３２２ａは第二ケース部材２２側にある。そして、両基板部３２２ａ、３２３ａにより、テープ４２をＸ軸方向に沿った両側から挟み付ける。粘着剤または接着剤が塗布されたテープ４２の裏面に面する都合上、可動の挟持部材３２２の基板部３２２ａには例えばシリコン等の素材を用いて作製したパッド３２６を装着しておき、このパッド３２６がテープ４２の裏面に当接するようにする。同様に、固定の挟持部材３２３の基板部３２３ａにも、例えばシリコン等の素材を用いて作製したパッド３２６を装着しておき、このパッド３２６がテープ４２の表面に当接するようにする。
【００４２】
但し、厳密には、固定の挟持部材３２３を副フレームベース３２１に対して完全に固定してはいない。固定の挟持部材３２３の基板部３２３ａは、その裏側（可動の挟持部材３２２の基板部３２２ａとは反対側）に配置した圧縮コイルスプリング３２７によりバックアップされる。Ｘ軸方向に沿って第一ケース部材２１側に向かう可動の挟持部材３２２の基板部３２２ａが固定の挟持部材３２３の基板部３２３ａを強く押圧したときには、このコイルスプリング３２７が弾性変形して、固定の挟持部材３２３の基板部３２３ａをＸ軸方向に沿って第一ケース部材２１側に後退させる。
【００４３】
リンク部材３４は、駆動体３をケース２内に押し込もうとする操作力を、テープ４２の中間部位を挟持した挟持機構をカッター刃３１４に対して相対的に変位させる力に変換する操作力変換機構を構成する。本実施形態にあって、リンク部材３４は、駆動体３の要素である主フレーム３１及び副フレーム３２のケース２に対するＺ軸方向に沿ったスライドを連動させながら、副フレーム３２の主フレーム３１に対するＺ軸方向に沿った相対変位を惹起する。リンク部材３４は、Ｘ軸方向を向く支軸３１１ｋを中心として回動する棒状の部材である。リンク部材３４の一方の端部は、第一ケース部材２１に設けた被係合部２１３に係合させる。第一ケース部材２１の被係合部２１３は、リンク部材３４の一方の端部が第一ケース部材２１に対しＺ軸方向に沿って相対的に変位することを禁ずるが、Ｙ軸方向に沿って変位することは許容する。リンク部材３４の他方の端部は、副フレームベース３２１の反先端側に設けた被係合部３２１ｄに係合させる。副フレームベース３２１の被係合部３２１ｄもまた、リンク部材３４の他方の端部が副フレーム３２に対しＺ軸方向に沿って相対的に変位することを禁ずるが、Ｙ軸方向に沿って変位することは許容する。図８及び図１０に示すように、Ｘ軸方向から見て、リンク部材３４の回転中心から一方の端部までの距離は、リンク部材３４の回転中心から他方の端部までの距離よりも若干短い。
【００４４】
本テープディスペンサの使用方法を述べる。駆動体３の先端部に外力が作用していないとき、駆動体３の要素である主フレーム３１、副フレーム３２及びリンク部材３４はそれぞれ、図８及び図９に示している原位置にある。このとき、駆動体３の先端部を形成するカッターハウジング３１３が、ケース２の先端側から大きく露出している。なおかつ、図８に示すように、Ｘ軸方向から見て、テープ４２が巻き掛けられたローラ３２４の少なくとも一部が、カッターハウジング３１３の外縁から外方に突出している。カッターハウジング３１３の頂壁３１３ａの下端縁とローラ３２４の外周とを結ぶ接線、即ちテープ４２の軌跡はＸ軸に平行であり、カッター刃３１４と交差しない。
【００４５】
また、主フレーム３１のストッパ３１１ｉが、副フレーム３２に形成した開口３２１ａの反先端側の（先端側を向いた）端面に当接しており、ストッパ３１１ｉと開口３２１ａとの間に介在する圧縮コイルスプリング３３の長さが最大となる。可動の挟持部材３２２の突起３２２ｃは、主フレーム３１の長孔３１１ｅにおける、Ｘ軸方向に沿って拡張する部分３１１ｇに所在する。加えて、図９に示すように、Ｙ軸方向から見て、可動の挟持部材３２２の基板部３２２ａと固定の挟持部材３２３の基板部３２３ａとは離間しており、両挟持部材３２２、３２３によってテープ４２が挟持されていない。並びに、押さえ部３２２ｄのＸ軸方向の位置が、ローラ３２４の外周よりも第二ケース部材２２側にあって、当該押さえ部３２２ｄはテープ４２に接触していない。
【００４６】
本テープディスペンサを使用してテープ４２を貼付対象物に貼付しようとする使用者は、図１、図８及び図９に示している通り、本体１のケース２を把持して駆動体３の先端部を下に向けつつ、（必要ならばケース２を垂直よりもやや傾けて）ローラ３２４を貼付対象物に当てる。これにより、リール４１から繰り出されているテープ４２がローラ３２４と貼付対象物との間に挟まれる。この状態で、使用者がケース２をＸ軸方向に沿って（図９中の右方に）引く操作を行うことで、ローラ３２４が回動しながらその直下にあるテープ４２を貼付対象物に圧着しつつ、新たなテープ４２を順次リール４１から引き出すことができる。結果、Ｘ軸方向に沿って所望の長さのテープ４２が貼付対象物に貼付される。
【００４７】
テープ４２の貼付対象物への貼付後、テープ４２を切断しようとする使用者は、把持しているケース２を垂直に立て、カッターハウジング３１３の頂壁３１３ａの下端縁を貼付対象物に当てる。これにより、貼付対象物に貼付されたテープ４２の貼付部位が、カッターハウジング３１３の頂壁３１３ａ及び側壁３１３ｂと貼付対象物との間に挟まれる。その状態で、ケース２を貼付対象物（または、貼付対象物を載置している机の天板等）に強く押し付けるようにしてケース２を移動させる操作を行うと、貼付対象物側からカッターハウジング３１３の頂壁３１３ａ及び側壁３１３ｂに、駆動体３をケース２内に押し込もうとする操作力が印加される。
【００４８】
上記の操作力はまず、駆動体３の要素である主フレーム３１を、ケース２に対し、Ｚ軸方向に沿って先端側から反先端側に向かって相対的に変位させる。主フレーム３１がケース２内に押し込まれることから、カッターハウジング３１３がケース２から突出する量が原位置と比較して小さくなることは言うまでもない。リール４１は、主フレーム３１とともにＺ軸方向に沿って変位するので、カッター刃３１４とリール４１との相対的な位置関係は変化しない。しかして、主フレーム３１に設けた支軸３１１ｋがケース２に対しＺ軸方向に沿って反先端側に相対変位することで、一方の端部を第一ケース部材２１の被係合部２１３に係合させているリンク部材３４が、支軸３１１ｋを中心として（図８及び図１０中時計回りに）回動する。このため、副フレーム３２の被係合部３２１ｄに係合しているリンク部材３４の他方の端部が、ケース２に対し、Ｚ軸方向に沿って支軸３１１ｋよりも大きく変位することとなる。つまり、主フレーム３１がケース２に対しＺ軸方向に沿って相対変位する（ケース２内に押し込まれる）とき、副フレーム３２もまたケース２に対しＺ軸方向に沿って相対変位し、その変位量は主フレーム３１のそれよりも大きくなる。要するに、上記の操作力は、駆動体３の要素である副フレーム３２を、主フレーム３１に対し、Ｚ軸方向に沿って先端側から反先端側に向かって相対的に変位させる。
【００４９】
副フレーム３２が主フレーム３１に対しＺ軸方向に沿って反先端側に相対変位する結果、図１０及び図１１に示しているように、副フレーム３２に支持させたローラ３２４及び挟持部材３２２、３２３が、主フレーム３１に支持させたカッター刃３１４から離反するように変位する。図１０に示すように、Ｘ軸方向から見て、ローラ３２４がカッターハウジング３１３の外縁よりも没入するように退避すると、カッターハウジング３１３の頂壁３１３ａの下端縁とローラ３２４の外周とを結ぶ接線、即ちテープ４２の軌跡がＸ軸に平行でなくなり、カッター刃３１４と交差するようになる。即ち、ローラ３２４がテープ４２をカッター刃３１４の刃先に当てることの妨げとならなくなる。また、主フレーム３１のストッパ３１１ｉが、副フレーム３２に形成した開口３２１ａの反先端側の端面から離間し、ストッパ３１１ｉと開口３２１ａとの間に介在する圧縮コイルスプリング３３の長さを縮小させる。
【００５０】
しかも、副フレーム３２が主フレーム３１に対しＺ軸方向に沿って反先端側に相対変位することで、可動の挟持部材３２２の突起３２２ｃが、主フレーム３１の長孔３１１ｅにおけるＸ軸方向に沿って拡張する部分３１１ｇから、湾曲部分３１１ｈを経由し、Ｚ軸方向に沿って延伸する部分３１１ｆへと遷移する。これにより、図１１に示すように、可動の挟持部材３２２の基板部３２２ａがＸ軸方向に沿って固定の挟持部材３２３の基板部３２３ａに向かって変位するため、両基板部３２２ａ、３２３ａ（のパッド３２６）が当接し、これらがテープ４２における貼付部位とリール４１との間に介在する中間部位を表裏両面側から強力に挟圧する。その上で、副フレーム３２が主フレーム３１に対しＺ軸方向に沿ってさらに変位すると、テープ４２の中間部位を挟持した挟持部材３２２、３２３がＺ軸方向に沿ってカッター刃３１４から離反することになる。
【００５１】
同時に、可動の挟持部材３２２に一体成形している押さえ部３２２ｄのＸ軸方向の位置が、ローラ３２４の外周よりも第一ケース部材２１側に変位する。即ち、当該押さえ部３２２ｄが、基板部３２２ａ、３２３ａとローラ３２４の外周とを結ぶ接線よりも第一ケース部材２１側に迫り出し、テープ４２に接触する。
【００５２】
ローラ３２４がカッターハウジング３１３の外縁よりも没入するように退避することは、ローラ３２４に巻き掛けていたテープ４２を弛ませることにつながるが、その分だけ挟持部材３２２が第一ケース部材２１側に迫り出すことで、ローラ３２４とリール４１との間におけるテープ４２の軌跡を屈曲させ、テープ４２に張力を付与するので、カッター刃３１４の刃先に当てるべきテープ４２が弛むことが回避される。
【００５３】
総合すると、使用者がケース２を貼付対象物に向けて移動させる操作を行うことにより、副フレーム３２が主フレーム３１に対しＺ軸方向に沿って反先端側に相対変位し、可動の挟持部材３２２がＸ軸方向に沿って第一ケース部材２１側に変位して、挟持部材３２２（の基板部３２２ａ）が第一ケース部材２１側に向けてテープ４２を押圧して張力を付与する。のみならず、挟持部材３２２、３２３がテープ４２の中間部位を挟持した状態で、Ｚ軸方向に沿ってカッター刃３１４から離反する方向に相対変位してテープ４２に張力を付与する。従って、テープ４２を緊張させたまま、弛ませたり歪ませたりすることなくカッター刃３１４の刃先に強く当てることが可能となり、テープ４２が確実かつ美麗に切断されることとなる。
【００５４】
テープ４２の切断に成功した暁には、ケース２を貼付対象物に押し付けるような操作を解除すればよい。さすれば、貼付対象物側からカッターハウジング３１３の頂壁３１３ａ及び側壁３１３ｂに印加されていた、駆動体３をケース２内に押し込もうとする操作力が消失する。そして、圧縮されていたコイルスプリング３３が発揮する弾性付勢力により、副フレーム３２が、主フレーム３１に対し、Ｚ軸方向に沿って反先端側から先端側に向かって相対変位する。なおかつ、リンク部材３４が支軸３１１ｋを中心として（図８及び図１０中反時計回りに）回動し、ケース２内に押し込まれていた主フレーム３１が、ケース２に対し、Ｚ軸方向に沿って反先端側から先端側に向かって相対的に変位する。最終的に、主フレーム３１、副フレーム３２及びリンク部材３４がそれぞれ、図８及び図９に示す原位置に復帰する。
【００５５】
また、主フレーム３１、副フレーム３２及びリンク部材３４が原位置に復帰する際に、可動の挟持部材３２２の突起３２２ｃが、長孔３１１ｅにおけるＺ軸方向に沿って延伸する部分３１１ｆから、Ｘ軸方向に沿って拡張する部分３１１ｇへと遷移する。その過程で、可動の挟持部材３２２が、第一ケース部材２１側から第二ケース部材２２側に向かって、Ｘ軸方向に沿って変位する。即ち、可動の挟持部材３２２の基板部３２２ａが固定の挟持部材３２３の基板部３２３ａから離間してテープ４２の挟持が解消されるとともに、挟持部材３２２がテープ４２を押圧しなくなる。
【００５６】
本実施形態では、貼付対象物にテープ４２を貼付する際に用いられるテープディスペンサであって、テープ４２が巻き回されたリール４１を保持する本体１と、リール４１から引き出されたテープ４２を切断するためのカッター刃３１４と、リール４１から引き出されたテープ４２をカッター刃３１４に当てて切断するときに、テープ４２における貼付対象物に貼付された貼付部位とリール４１との間に介在する中間部位を挟持した状態でカッター刃３１４に対して相対的に変位する挟持機構とを具備するテープディスペンサを構成した。
【００５７】
本実施形態によれば、テープ４２を貼付対象物に貼付した後、テープ４２を切断する作業を確実かつ簡便に行い得るテープディスペンサを実現できる。即ち、挟持機構の動作を通じて、テープ４２における貼付部位と中間部位との間を緊張させながらカッター刃３１４の刃先にしっかりと当てることができるので、リール４１から引き出されたテープ４２が弛んでカッター刃３１４に上手く当たらなかったり、カッター刃３１４がテープ４２を裁断する最中にテープ４２が歪んでしまい綺麗に切れなかったりする問題が回避される。
【００５８】
加えて、前記挟持機構が、テープ４２を表裏両面側から挟む一対の挟持部材３２２、３２３を有しており、一方の挟持部材３２２が他方の挟持部材３２３に対して接近する過程で、当該挟持部材３２２と連動して変位する押圧部材３２２ａがテープ４２の貼付部位とリール４１との間を押圧することで前記カッター刃３１４に当たるテープ４２に張力を付与するため、押圧部材３２２ａによるテープ４２の押圧と、挟持部材３２２、３２３のカッター刃３１４に対する変位によるテープ４２の緊張との相乗作用により、テープ４２を弛ませたり歪ませたりことなくカッター刃３１４に当てることができ、切れにくい素材のテープ４２であっても綺麗に切断することが可能になる。
【００５９】
前記本体１が、使用者が把持するケース２と、ケース２に対して相対的に変位可能でありその先端部がケース２から突出する駆動体３とを有しており、テープ４２の貼付部位を貼付対象物に貼付した後に使用者がケース２を移動させる操作に起因して貼付対象物側から駆動体３の先端部に加わる、駆動体３をケース２内に押し込もうとする操作力を、テープ４２の中間部位を挟持した前記挟持機構を前記カッター刃３１４に対して相対的に変位させる力に変換する操作力変換機構を具備するため、テープ４２を切断するための操作が簡単となる。
【００６０】
前記駆動体３が、前記カッター刃３１４を支持する主フレーム３１と、前記挟持機構を支持する副フレーム３２とを有しており、前記操作力によって主フレーム３１が前記ケース２に対して変位する変位量よりも副フレーム３２がケース２に対して変位する変位量の方が大きくなるように、主フレーム３１、副フレーム３２及びケース２を連結するリンク部材３４を設けることで、前記操作力変換機構を構成しているため、構造及び機構が簡便で、耐久性の向上及びコストの低減に資する。
【００６１】
前記カッター刃３１４を前記駆動体３の先端部に支持させており、そのカッター刃３１４が駆動体３の先端部の外縁よりも没入した位置にあるため、カッター刃３１４の刃先が貼付対象物に当接せず、カッター刃３１４により貼付対象物が損傷することがない。
【００６２】
リール４１から引き出されたテープ４２を貼付対象物に圧着させるために前記本体１の先端部の外縁から突出するとともに、テープ４２をカッター刃３１４に当てて切断するときには当該外縁よりも没入するように退避する圧着部材３２４を具備するため、テープ４２の切断時に圧着部材３２４を退避させてテープ４２をカッター刃３１４の刃先にしっかりと強く当てることが可能となり、確実にテープ４２を切断できるようになる。
【００６３】
並びに、リール４１から引き出されたテープ４２を貼付対象物に圧着させるために前記本体１の先端部の外縁から突出するとともに、テープ４２をカッター刃３１４に当てて切断するときには当該外縁よりも没入するように退避する圧着部材３２４を、前記副フレーム３２に支持させているため、挟持機構の動作を実現する副フレーム３２によって圧着部材３２４の退避をも具現できる。これにより、機構が徒に複雑化せず、部品点数も削減できる。
【００６４】
また、本体１の先端部を構成するカッターハウジング３１３が透明であり、その頂壁３１３ａにテープ４２の貼付時及び切断時にテープを視認することのできる貫通窓３１３ｃも形成されていることから、貼付対象物へのテープ４２の貼付を開始する位置、及びテープ４２の貼付を終了してテープ４２を切断する位置を、使用者が視認して明確に把握することができる。即ち、使用者の狙い通りの場所及び範囲にテープ４２を貼付することが可能であって、利便性が高い。
【００６５】
なお、本発明は以上に詳述した実施形態に限られるものではない。例えば、テープ４２は、表裏両面に粘着剤または接着剤が塗布された両面テープであってもよい。
【００６６】
上記実施形態では、カッター刃３１４を以てテープ４２を切断するに際し、駆動体３の先端部であるカッターハウジング３１３の頂壁３１３ａ（の下端縁）と貼付対象物との間にテープ４２の貼付部位を挟むようにしていたが、テープ４２に塗布されている粘着剤の粘着力または接着剤の接着力が強い（あるいは、テープ４２を貼付対象物に貼付してから時間が経過しており、テープ４２の貼付部位が容易に貼付対象物から剥離し得ない）場合には、カッターハウジング３１３の頂壁３１３ａ（の下端縁）と貼付対象物とでテープ４２の貼付部位を挟まずとも、カッター刃３１４に当てるテープ４２を必要十分に緊張させることが可能である。この場合、カッター刃３１４の刃先を露出させないようにカッターハウジング３１３には側壁３１３ｂのみが存在していればよく、頂壁３１３ａ（または、その下端縁）を削除して窓３１３ｃを拡大させることも許される。
【００６７】
上記実施形態では、テープ４２を切断するカッター刃３１４及びテープ４２の中間部位を挟持する挟持機構の各々が本体１のケース２に対して（Ｚ軸方向に沿って）相対変位していたが、何れか一方のみをケース２に対して相対変位させ、他方をケース２に対して変位させない態様をとることを妨げない。テープ４２の中間部位を挟持してテープ４２を緊張状態に保つ挟持機構をケース２に対して不動とし、その状態でカッター刃３１４をケース２及び挟持機構に対して相対的に変位させ、刃先をテープ４２に強く押し当ててテープ４２を切断するようにすることも当然に考えられる。
【００６８】
上記実施形態では、使用者が把持しているケース２を貼付対象物に向かって押し付ける操作を通じて、リール４１から引き出されたテープ４２を挟持している挟持機構をカッター刃３１４に対して相対変位させる動作を惹起していたが、挟持機構及び挟持機構が挟持しているテープ４２をカッター刃３１４に対して相対変位させるための操作の態様は、このようなものには限定されない。例えば、本体１またはケース２に対して相対的に変位可能なレバー、スライダ等の部材を本体１またはケース２に支持させるとともに、使用者が手指でこれを本体１またはケース２に対して変位させる操作を行ったときに、そのレバー等に加えられた操作力を、テープ４２を挟持した状態の挟持機構をカッター刃３１４に対して相対的に変位させる力に変換する機構を設けておく。
【００６９】
テープ４２の態様や用途もまた、上記実施形態におけるものには限定されない。テープ４２の用途としては、いわゆる修正テープのように貼付対象物に書いてある文字や図形等を被覆して隠蔽できるもの（貼付対象物から剥離困難、または貼付対象物から一旦剥離すると再付着できない）や、付箋のように使用できるもの（テープ４２の裏面の一部分にのみ粘着剤または接着剤が塗布される）、貼付後の剥離や再付着が可能なマスキングテープとして使用できるもの、透明なテープ４２の幅寸法の一部にテープ４２の延びる方向に沿った細線を（例えば、テープ４２の一方の側縁に沿って、またはテープ４２の幅方向の中心位置に）印刷しておき貼付対象物に貼付されることで下線や取消線を表現できるもの、等が考えられる。テープ４２の幅寸法は、図示しているものよりも大きい（幅広である）可能性がある。
【００７０】
その他各部の具体的構成は、本発明の趣旨を逸脱しない範囲で種々変形が可能である。
【産業上の利用可能性】
【００７１】
本発明は、貼付対象物にテープを貼付する際に用いられるテープディスペンサに適用することができる。
【符号の説明】
【００７２】
１…本体
２…ケース
３…駆動体
３１…主フレーム
３１４…カッター刃
３２…副フレーム
３２２、３２３…挟持部材
３２２ａ…押圧部材
３２４…圧着部材
３４…リンク部材
４１…リール
４２…テープ
【図１】
2015209307.tif 000003
【図２】
2015209307.tif 000004
【図３】
2015209307.tif 000005
【図４】
2015209307.tif 000006
【図５】
2015209307.tif 000007
【図６】
2015209307.tif 000008
【図７】
2015209307.tif 000009
【図８】
2015209307.tif 000010
【図９】
2015209307.tif 000011
【図１０】
2015209307.tif 000012
【図１１】
2015209307.tif 000013